(57)【要約】 【課題】  広い床面部分だけでなく、床の角隅部や階段の角隅部なども確実に掃除することができる、掃き掃除用清掃具を得る。【解決手段】  一方向に細長い基台１０の下面の植毛面１１に繊維を植設して形成した清掃ヘッド３と、この清掃ヘッド３に連結した柄４とからなり、上記基台１０の植毛面１１を、領域長の長い主植毛領域１１ａと、該主植毛領域１１ａの少なくとも一端部側に位置する領域長の短い補助植毛領域１１ｂとに区画し、上記主植毛領域１１ａに、床面上の塵埃を掃くのに必要な柔軟性を備えた軟質繊維１２を植設し、上記補助植毛領域１１ｂに、床面に付着した塵埃を掻き落とし得る程度の剛性を備えた硬質繊維１３を植設する。【選択図】        図１
2005111055.tif 000002
【特許請求の範囲】
【請求項１】
一方向に細長い基台の下面の植毛面に繊維を植設して形成した清掃ヘッドと、この清掃ヘッドに連結した柄とからなり、
上記清掃ヘッドにおける基台の植毛面を、領域長の長い主植毛領域と、該主植毛領域の長さ方向両端のうち少なくとも一端側に位置する領域長の短い補助植毛領域とに区分し、上記主植毛領域に、床面上の塵埃を掃くのに必要な柔軟性を備えた軟質繊維を植設すると共に、上記補助植毛領域に、床面に付着した塵埃を掻き落とし得る程度の剛性を備えた硬質繊維を植設したことを特徴とする掃き掃除用清掃具。
【請求項２】
上記補助植毛領域が、主植毛領域に対して端部側ほど次第に上向きをなすように傾斜すると共に、この補助植毛領域に植設された硬質繊維の毛先面も、該補助植毛領域の端部側ほど次第に上向きをなすように傾斜していることを特徴とする請求項１に記載の掃き掃除用清掃具。
【請求項３】
上記補助植毛領域が、少なくとも該領域中の一部に主植毛領域より幅の広い広幅部を有し、この広幅部に、上記主植毛領域における軟質繊維の植設幅より広い幅で硬質繊維が植設されていることを特徴とする請求項１又は２に記載の掃き掃除用清掃具。
【請求項４】
多数の繊維を扁平で先広がり状をした繊維束とし、それらの基端部をホルダに保持させて形成した清掃ヘッドと、この清掃ヘッドに連結した柄とからなり、
上記繊維束が、領域長の長い主繊維部と、該主繊維部の長さ方向両端のうち少なくとも一端側に位置する領域長の短い補助繊維部とからなっていて、上記主繊維部は、床面上の塵埃を掃くのに必要な柔軟性を備えた軟質繊維で形成され、上記補助繊維部は、床面に付着した塵埃を掻き落とし得る程度の剛性を備えた硬質繊維で形成されていることを特徴とする掃き掃除用清掃具。
【請求項５】
上記補助繊維部における硬質繊維の毛先面が、主繊維部における軟質繊維の毛先面に対し、端部側ほど次第に上向きをなすように傾斜していることを特徴とする請求項４に記載の掃き掃除用清掃具。
【請求項６】
上記硬質繊維の先端部が、複数の細径繊維部分に分割されることによって柔軟化されていることを特徴とする請求項１から５の何れかに記載の掃き掃除用清掃具。
【発明の詳細な説明】
【技術分野】
【０００１】
本発明は、床面や階段等を掃き掃除するのに適した掃き掃除用清掃具に関するものである。
【背景技術】
【０００２】
この種の清掃具として従来より、箒や自在ブラシなどが良く知られている。このうち自在ブラシは、巾狭で一方向に細長い基台の下面の植毛面に繊維を植設して形成した清掃ヘッドと、この清掃ヘッドに連結した柄とからなるもので、箒のように床面を掃き掃除するものであるため、上記繊維として、例えば馬毛のような、塵埃を掃くのに適した柔軟性を有する軟質繊維が使用されている。
【０００３】
ところが、軟質繊維を使用したこの種従来の自在ブラシは、広い床面部分を掃除する場合には問題ないが、壁に近い床の角隅部や階段の角隅部などを掃除する場合に問題があった。即ち、このような角隅部まで上記軟質繊維が十分に届きにくく、たとえ一部の繊維が届いたとしても、繊維の腰が弱いために塵埃を十分掃き出すことができなかった。このため、該角隅部には次第に塵埃が堆積して付着した状態となり、上記ブラシによる掃除がいよいよ困難になっていくのが避けられなかった。
一方、箒の場合には、天然の穂材の入手が困難になっているため、合成樹脂製の繊維が代用されているが、床面上の塵埃を掃き取るのに最適なように柔軟性の高い繊維を使用した場合に同様の問題があった。
【発明の開示】
【発明が解決しようとする課題】
【０００４】
本発明の課題は、広い床面部分だけでなく、床の角隅部や階段の角隅部なども確実に掃除することができる、掃き掃除用清掃具を提供することにある。
【課題を解決するための手段】
【０００５】
上記課題を解決するため、本発明によれば、一方向に細長い基台の下面の植毛面に繊維を植設して形成した清掃ヘッドと、この清掃ヘッドに連結した柄とからなり、上記清掃ヘッドにおける基台の植毛面を、領域長の長い主植毛領域と、該主植毛領域の長さ方向両端のうち少なくとも一端側に位置する領域長の短い補助植毛領域とに区分し、上記主植毛領域に、床面上の塵埃を掃くのに必要な柔軟性を備えた軟質繊維を植設すると共に、上記補助植毛領域に、床面に付着した塵埃を掻き落とし得る程度の剛性を備えた硬質繊維を植設したことを特徴とする掃き掃除用清掃具が提供される。
【０００６】
本発明において好ましくは、上記補助植毛領域が、主植毛領域に対して端部側ほど次第に上向きをなすように傾斜すると共に、この補助植毛領域に植設された硬質繊維の毛先面も、該補助植毛領域の端部側ほど次第に上向きをなすように傾斜していることである。
【０００７】
また、本発明においては、上記補助植毛領域が、少なくとも該領域中の一部に主植毛領域より幅の広い広幅部を有し、この広幅部に、上記主植毛領域における軟質繊維の植設幅より広い幅で硬質繊維が植設されていても良い。
【０００８】
本発明によればさらに、多数の繊維を扁平で先広がり状をした繊維束とし、それらの基端部をホルダに保持させて形成した清掃ヘッドと、この清掃ヘッドに連結した柄とからなり、上記繊維束が、毛先面の領域長が長い主繊維部と、該主繊維部の長さ方向両端のうち少なくとも一端側に位置する毛先面の領域長が短い補助繊維部とからなっていて、上記主繊維部は、床面上の塵埃を掃くのに必要な柔軟性を備えた軟質繊維で形成され、上記補助繊維部は、床面に付着した塵埃を掻き落とし得る程度の剛性を備えた硬質繊維で形成されていることを特徴とする掃き掃除用清掃具が提供される。
【０００９】
上記補助繊維部における硬質繊維の毛先面は、主繊維部における軟質繊維の毛先面に対し、端部側ほど次第に上向きをなすように傾斜していることが望ましい。
【００１０】
また、本発明によれば、上記硬質繊維の先端部を複数の細径繊維部分に分割することにより、この硬質繊維の先端部を部分的に柔軟化することもできる。
【発明の効果】
【００１１】
軟質繊維と硬質繊維とを組み合わせて清掃具を形成したので、床面の壁に近い角隅部や階段の角隅部などにある塵埃は、上記硬質繊維を使用して除去し、広い床面部分に散在する塵埃は、繊維全体で除去することができる。特に、上記角隅部に付着した状態になっている塵埃や汚れ等であっても、上記硬質繊維で掻き落とすことができるため、床面全体を確実に掃除することができる。
【発明を実施するための最良の形態】
【００１２】
以下、本発明に係る掃き掃除用清掃具の好ましい幾つかの実施形態を図面を参照しながら詳細に説明する。図１は清掃具の第１実施例を示すもので、この清掃具１Ａは、いわゆる自在ブラシと称されるもので、清掃ヘッド３と、この清掃ヘッド３に傾動自在に連結した柄４とからなっている。
【００１３】
上記清掃ヘッド３は、基台１０の下面の植毛面１１に性質の異なる２種類の繊維１２，１３を植設して形成したものである。上記基台１０は、薄巾で一方向に細長く、かつその巾（厚さ）よりも高さが若干高いプレート状をしており、弧状をなす頂面の中央部に環状の取付部１４が形成され、この取付部１４に上記柄４が、該基台１０の長さ方向の軸線を含む面内で傾動自在であるように連結されている。また、上記基台１０の下面は、図２に示すように、該下面全体が細長い矩形形状をした平らな上記植毛面１１となっている。この植毛面１１の寸法は、図示したものでは、長さＬが約３００ｍｍ程度、横幅Ｗが約１５ｍｍ程度であるが、この寸法に制約されないことはもちろんである。
【００１４】
上記植毛面１１には、複数の繊維が束になった繊維束の基端部を嵌着するための複数の植毛孔１６が、該植毛面１１の長さ方向に一定間隔で列状に配設されている。図示した例では、植毛孔列が２列に設けられていて、１列中に含まれる植毛孔１６の数は３９個である。また、上記植毛面１１は、基台１０の長さ方向両端部に位置する第１及び第２の２つの補助植毛領域１１ｂ，１１ｂと、これらの補助植毛領域１１ｂ，１１ｂの間に位置する１つの主植毛領域１１ａとに区画されている。このうち２つの補助植毛領域１１ｂ，１１ｂは、主植毛領域１１ａに比べて領域の長さが短く、図示した例では、主植毛領域１１ａの１／１０程度である。従って、この補助植毛領域１１ｂ，１１ｂ中に含まれる植毛孔１６の数は、１列について３個であり、主植毛領域１１ａの場合は同３３個である。
【００１５】
しかし、上記植毛孔１６列は必ずしも２列に限るものではなく、１列であっても、３列以上であっても構わない。また、上記補助植毛領域１１ｂ，１１ｂと主植毛領域１１ａとの長さの関係も１／１０程度に限定されるものではなく、補助植毛領域１１ｂ，１１ｂの領域長が主植毛領域１１ａよりも短く、かつ該補助植毛領域１１ｂ，１１ｂ中に含まれる植毛孔１６の数が１列当たり１〜５程度であれば良い。この場合、２つの補助植毛領域１１ｂと１１ｂとの領域長を互いに違えることもできる。
【００１６】
そして、上記主植毛領域１１ａと２つの補助植毛領域１１ｂ，１１ｂとには、互いに異なる種類の繊維１２，１３が植設されている。即ち、主植毛領域１１ａには、床面上の塵埃を掃くのに必要な可撓性を備えた柔軟な軟質繊維１２が植設され、各補助植毛領域１１ｂ，１１ｂには、床面や階段等の角隅部に付着した塵埃や汚れを掻き落とし得る程度の剛弾性を備えた硬質繊維１３が植設されている。図２中の２点鎖線は、上記繊維１２，１３の毛先が集まって形成された毛先面１２ａ，１３ａを示している。この軟質繊維１２の毛先面１２ａと硬質繊維１３の毛先面１３ａとは、互いに同じ平面上にあり、上記植毛面１１と実質的に平行である。これらの毛先面１２ａ，１３ａは、完全に平らにする必要はなく、細かく波付けすることもできる。
【００１７】
上記軟質繊維１２としては、例えば、馬毛や、０．２ｍｍ程度の繊維径を有するポロプロピレン等の化学繊維が好適に使用され、それらは、単独で使用することも、適当な割合（例えば５０％ずつ）で混合して使用することもできる。一方、上記硬質繊維１３としては、上記軟質繊維１２よりやや繊維径の大きいポリエチレン等の化学繊維が好適に使用される。この硬質繊維１３の好ましい繊維径は０．５ｍｍ前後である。そして、これらの繊維１２，１３が、上記基台１０の植毛面１１に、毛先が該植毛面１１より前後及び左右に広がった状態に植設されている。また、上記繊維の好ましい繊維長は約４０ｍｍ程度である。従って、上記硬質繊維１３の毛先は、基台１０の長さ方向の前後両側に突出することになり、この硬質繊維１３で床面や階段等の角隅部を掃除するとき、基台１０が壁に当たらないようになっている。
【００１８】
上記構成を有する掃き掃除用清掃具１Ａで床面や階段等を掃除する場合、広い面部分に散在する塵埃は、基台１０の中央部に植設されている軟質繊維１２と両端に植設されている硬質繊維１３とを全体的に使用して除去し、床の壁面に近い角隅部や階段の角隅部等にある塵埃は、基台１０の前後両端に位置する硬質繊維１３，１３を選択的に使用して除去する。この硬質繊維は腰が強いため、少数の繊維であっても、軟質繊維では掃き出すことができない角隅部の塵埃を確実に掃き出すことができる。また、この角隅部に付着した状態になっている塵埃や汚れ等であっても、剛性のある上記硬質繊維１３を強く押し付けて擦ったり掻き落したりすることにより、確実に除去することができる。
【００１９】
上記実施例では、２つの補助植毛領域１１ｂ，１１ｂに同じ剛弾性を持つ硬質繊維１３が植設されているが、これら２つの補助植毛領域１１ｂ，１１ｂには、互いに異なる剛弾性を有する硬質繊維を植設しても良い。あるいは、植毛面１１の一端側だけに１つの補助植毛領域１１ｂを形成し、そこに硬質繊維を植設しても良い。
【００２０】
図３及び図４は本発明の第２実施例を清掃ヘッド３について示すもので、この第２実施例の清掃具１Ｂが上記第１実施例の清掃具１Ａと異なる点は、第１実施例では、軟質繊維１２の毛先面１２ａと硬質繊維１３の毛先面１３ａとが互いに同じ平面上に位置するように揃えられているが、この第２実施例では、硬質繊維１３の毛先面１３ａが、軟質繊維１２の毛先面１２ａに対し、端部側に向かうほど次第に上向きをなすように傾斜していることである。即ち、基台１０の植毛面１１の長手方向の両端部にある２つの補助植毛領域１１ｂ，１１ｂが、主植毛領域１１ａに対して端部側にいくほど次第に上向きをなすように傾斜しており、これに伴って、これらの補助植毛領域１１ｂ，１１ｂに植設された上記硬質繊維１３の毛先面１３ａも、該補助植毛領域の端部側ほど次第に上向きをなすように傾斜している。
【００２１】
このように硬質繊維１３の毛先面１３ａを傾斜させておくことにより、軟質繊維１２と硬質繊維１３とを全体的に使用して掃除する場合に、これらの軟質繊維１２と硬質繊維１３との弾性力の違いによって軟質繊維１２が撓みにくくなるといった問題を解消することができる。
第２実施例の上記以外の構成、作用及び好ましい変形例等については、上記第１実施例と実質的に同じであるから、それらの主要な同一構成部分に第１実施例と同じ符号を付してその説明は省略する。
【００２２】
図５及び図６は本発明の第３実施例を清掃ヘッド３について示すもので、この第３実施例の清掃具１Ｃが上記第２実施例の清掃具１Ｂと異なる点は、第２実施例では、植毛面１１の補助植毛領域１１ｂ，１１ｂの横幅が、主植毛領域１１ａの横幅と同じ大きさであると共に均一な大きさであるが、この第３実施例では、補助植毛領域１１ｂ，１１ｂが、それらの領域中の一部に主植毛領域１１ａより幅の広い広幅部１１ｄを有し、この広幅部１１ｄに、上記主植毛領域１１ａにおける軟質繊維１２の植設幅より広い幅で硬質繊維１３が植設されている点である。
【００２３】
この実施例では、補助植毛領域１１ｂ，１１ｂの端部寄りの位置に上記広幅部１１ｄが形成されていて、この広幅部１１ｄに、植毛孔１６が補助植毛領域の幅方向に３個設けられ、これらの植毛孔１６に硬質繊維１３が植設されている。このように、上記広幅部１１ｄに他の部分より多い数の植毛孔１６を設けることにより、その部分で硬質繊維１３の植設幅を広くすることができる。しかし、この広幅部１１ｄは、補助植毛領域１１ｂの一部だけでなく、全体にそれを形成しても良い。換言すれば、補助植毛領域１１ｂ全体を広幅部１１ｄとすることもできる。
この第３実施例の上記以外の構成、作用及び好ましい変形例等については、上記第２実施例と実質的に同じであるから、それらの主要な同一構成部分に第２実施例と同じ符号を付してその説明は省略する。
【００２４】
上記第２及び第３実施例では、硬質繊維１３の毛先面１３ａが先上がり状に傾斜しているが、このように毛先面１３ａを傾斜させることなく、硬質繊維１３の長さを軟質繊維１２より若干（例えば３〜７ｍｍ程度）短くすることにより、軟質繊維１２の毛先面１２ａと硬質繊維１３の毛先面１３ａとの間に若干の段差を持たせるようにしても良い。このように、硬質繊維１３の毛先面１３ａを軟質繊維１２の毛先面１２ａより若干後退させておくことによっても、掃き掃除を行う際に、両繊維１２及び１３の弾性力の違いによって軟質繊維１２が撓みにくくなるといった問題を解消することができる。
【００２５】
図７は本発明の第４実施例を示すもので、この第４実施例の清掃具１Ｄは、通常の箒としての形態を有するものである。即ち、この清掃具１Ｄは、多数の繊維を扁平で先広がり状をした繊維束２０とし、この繊維束２０の基端部をホルダ２１に保持させて形成した清掃ヘッド３と、この清掃ヘッド３に連結した柄４とからなっている。
【００２６】
上記ホルダ２１は、合成樹脂により扁平な略三角形状に形成したもので、その下面に上記繊維束２０の基端部を挿入するための細長い開口部２１ａを有すると共に、上部に上記柄４を嵌着して取り付けるための連結部２１ｂを有している。
【００２７】
また、上記繊維束２０は、領域長の長い主繊維部２０ａと、該主繊維部２０ａの長さ方向両端に位置する領域長の短い２つの補助繊維部２０ｂ，２０ｂとからなっている。このうち上記主繊維部２０ａは、床面上の塵埃を掃くのに必要な柔軟性を備えた軟質繊維１２で形成されており、また、上記補助繊維部２０ｂ，２０ｂは、床面に付着した塵埃を掻き落とし得る程度の剛性を備えた硬質繊維１３で形成されている。これら硬質繊維１３の毛先面１３ａと軟質繊維１２の毛先面１２ａとは、互いに同じ平面上にあっても良いが、図示の例では、硬質繊維１３の毛先面１３ａが、軟質繊維１２の毛先面１２ａに対し、端部側ほど次第に上向きをなすように傾斜している。
【００２８】
この第４実施例の清掃具１Ｄにおいても、上記各実施例の清掃具１Ａ〜１Ｄと同様に、床面や階段等を掃除する場合、広い面部分に散在する塵埃は、軟質繊維１２と硬質繊維１３とを全体的に使用して除去し、床の壁面に近い角隅部や階段の角隅部等にある塵埃は、主として硬質繊維１３を使用して除去する。
【００２９】
この第４実施例において、上記２つの補助繊維部２０ｂ，２０ｂにおいては、それらの領域長を互いに違えることもでき、あるいは、互いに剛弾性の異なる硬質繊維を使用することもできる。さらに、図示したように硬質繊維１３の毛先面１３ａを傾斜させる代わりに、該硬質繊維１３の毛先面１３ａを軟質繊維１２の毛先面１２ａより若干後退させることによってそれらの間に段差を持たせても良く、また、上記補助繊維部２０ｂ，２０ｂの何れか一方だけを設けても良い。
更に、図示した例では、柄４の軸線に対して軟質繊維１２の毛先面１２ａが傾斜しているが、この毛先面１２ａが柄４の軸線と直交していても良い。
【００３０】
なお、上記各実施例では、全長にわたって均一な剛性を有する硬質繊維１３が使用されているが、該硬質繊維１３の先端部を複数の細径繊維部分に分割することにより、この硬質繊維１３の先端部を部分的に柔軟化することもできる。
【図面の簡単な説明】
【００３１】
【図１】本発明に係る掃き掃除用清掃具の第１実施例を柄の一部を省略して示す側面図である。
【図２】図１の清掃具における基台の底面図である。
【図３】本発明の第２実施例における清掃ヘッドの側面図である。
【図４】図３の清掃具における基台の底面図である。
【図５】本発明の第３実施例における清掃ヘッドの側面図である。
【図６】図５の清掃具における基台の底面図である。
【図７】本発明の第４実施例における要部側面図である。
【符号の説明】
【００３２】
１Ａ，１Ｂ，１Ｃ，１Ｄ      清掃具
３      清掃ヘッド
４      柄
１０      基台
１１      植毛面
１１ａ    主植毛領域
１１ｂ      補助植毛領域
１１ｄ      広幅部
１２      軟質繊維
１３      硬質繊維
１２ａ，１３ａ      毛先面
１６      植毛孔
２０      繊維束
２０ａ      主繊維部
２０ｂ      補助繊維部
２１      ホルダ
【図１】
2005111055.tif 000003
【図２】
2005111055.tif 000004
【図３】
2005111055.tif 000005
【図４】
2005111055.tif 000006
【図５】
2005111055.tif 000007
【図６】
2005111055.tif 000008
【図７】
2005111055.tif 000009